(57)【要約】      （修正有）【課題】立体的に飛び出す図柄を鑑賞することに用途が限られていたポップアップ式冊子の利用用途を広げる、多用途見開き体を提供する。【解決手段】多用途見開き体１にカード用ホルダー３を収蔵して、用途に合わせて選択したカードを挿出入し、ポップアップ機構６で、当該カード用ホルダー３と、挿入するカードに相応しい演出用装飾を施した演出装飾７を、立体状空間構成態に変化させることで、立体式グリーティングカード、立体式写真ボード、又は立体式パンフレット等の用途に供する。また、多用途見開き体１を連結して冊子とすることで、立体式アルバム、又は自家版の立体式物語本等の用途となり、更に保持装具を用いて、陳列することで、立体式インテリア装飾体２３、又は立体式フォトフレーム、等と成り、用途を拡大できる。【選択図】図４
0003137868.tif 000002
【実用新案登録請求の範囲】
【請求項１】
左右頁からなる見開き体の見開き頁に畳み込んで収蔵させた、カード用ホルダーと、当該カード用ホルダーの周辺に設けた周辺装飾用シートを、同様に当該見開きページに畳み込んで収蔵させたポップアップ機構を介して当該見開き頁に接合させ、当該見開き頁を開く動作で前記ポップアップ機構を作動させて、前記カード用ホルダーと、前記周辺装飾用シートを立体状空間構成態に形成する、多用途見開き体。
【請求項２】
前記カード用ホルダーの額縁部分に額縁装飾用シートを設け、当該カード用ホルダーの額縁部分又は前記額縁装飾用シートと、前記周辺装飾用シートと、前記見開き頁の表面の、全て又はいずれかに、当該見開き頁のカード用ホルダーに挿入するカードの内容を予測した演出用装飾を施した、実用新案登録請求の範囲１記載の多用途見開き体。
【請求項３】
前記見開き体の左右頁又はどちらか片頁の裏面全域又は額縁部分に、接着材料を塗布又は取り付けておき、同様に頁の裏面に接着材料を塗布又は取り付けた複数の見開き体の左右頁を交互に隣接させて順次張り合わせ、連結して冊子とする構造を有する、実用新案登録請求の範囲１、及び２に記載の多用途見開き体。
【請求項４】
複数の異なる見開き体を順次隣接させ、当該左右頁を交互に重ね合わせた二重頁の前端と上端と下端の三方を、取り外し可能な圧入クリップ装具を用いて接合し、連結して冊子とする構成を有する、実用新案登録請求の範囲１、及び２に記載の多用途見開き体。
【請求項５】
前記見開き体の見開き頁、もしくは前記冊子の見開き頁を、クリップ式又はバインダー式の保持装具を用いて保持し、保持された立体状の空間構成態を陳列して、立体式カード展示体とする、実用新案登録請求の範囲１、及び２、及び３、及び４に記載の多用途見開き体。
【考案の詳細な説明】
【技術分野】
【０００１】
本考案は、ポップアップ式冊子に関する。
【背景技術】
【０００２】
従前のポップアップ式冊子は、収蔵した図柄を立体状構成態に変化させ、鑑賞時に感動を喚起させる利点を持っている。
【特許文献１】特許公開平７−２２８０７８
【特許文献２】特許公開２００３−７１１５１
【特許文献３】登録実用新案第３０５５０１０号
【特許文献４】登録実用新案公開平７−４４１８４
【特許文献５】登録実用新案第３１３１４５７号
【考案の開示】
【考案が解決しようとする課題】
【０００３】
しかしながら、従前のポップアップ式冊子は、主な用途が，収蔵した図柄を立体状構成態にして鑑賞することに限られ、図柄が変化しないことで飽きを生じ、冊子の構成が既成の図柄で完結しているために利用者が創意を加えられない欠点があった。
【課題を解決するための手段】
【０００４】
本考案は、左右頁からなる多用途見開き体の見開き頁に、カード用ホルダーを収蔵し、カードの種別と内容、例えば、写真、画像カード、文面シート等、を選択して挿入することで当該多用途見開き体の用途を広げ、前記カードを差し替えることで当該多用途見開き体の内容と用途を変えられる。前記カード用ホルダーと前記カード用ホルダーの周辺に設けた周辺装飾用シートは見開き頁に畳み込んで収蔵し、同様に見開き頁に畳み込んで収蔵したポップアップ機構を介して当該見開き頁と接合させ、当該見開き頁を見開く動作でポップアップ機構を作動させて、当該カード用ホルダーと当該周辺装飾シートを立体状空間構成態に形成し、当該カード用ホルダーは額縁部分に額縁装飾用シートを設け、当該カード用ホルダーの額縁部分又は額縁装飾用シートと、当該周辺装飾用シートと、見開き頁表面の全て又はいずれかに、挿入するカードの内容を予測した演出用装飾、例えば、誕生写真を予測した演出用の形状、図柄、彩色、文字、凹凸加工等、を施すことで、当該多用途見開き体を見開き利用する時に、感動を与える。次に多用途見開き体の見開き頁裏面に接着材料を塗布又は取り付けて異なる見開き体を順次張り合わせるか、又は取り外し可能な圧入クリップ装具を用いて異なる見開き体の左右頁を交互に重ねて順次接合するかの、いずれかにより、複数の見開き体を連結した冊子を構成し、立体式冊子としての用途に供する。次に前記多用途見開き体の見開き頁、もしくは前記冊子の見開き頁を保持するクリップ式又はバインダー式の保持装具を用いて、立体状空間構築態の状態を保ち、陳列して、立体式カード展示体の用途に供する。上記により、前項の課題を解決するものである。
【考案の効果】
【０００５】
本考案の多用途見開き体は、収蔵したカード用ホルダーに、利用するカードを選択して挿入することで、当該多用途見開き体の用途を広く設定でき、当該カードを入れ替えることで、当該多用途見開き体の内容や用途を変えることができる。さらに当該カード用ホルダーと、挿入するカードに相応しい演出用装飾を施した周辺装飾用シートとを、ポップアップ機構で立体状空間構成態に形成させることで、利用するカードを相応しい演出装飾を持つ多用途見開き体のカード用ホルダーに挿入して、当該多用途見開き体を見開いた時に、感動を喚起する立体式多用途見開き体となる。当該カード用ホルダーに写真を挿入すると、立体式写真ボードに成り、もしくは写真や画像カード等に加えてメッセージの文面シートを挿入すると、立体式グリーティングカードに成る。次に複数の多用途見開き体を張り合わせることで、多用途見開き体の自由な組み合わせと増設ができる冊子の用途を供し、取り外し可能な圧入クリップ装具を用いて接合して構成した冊子では、多用途見開き体を自由に組み替え、差し替え、割り込ませることができる。前記冊子を用いて、当該冊子のカード用ホルダーに写真を挿入すると、立体式アルバムルと成り、もしくは前記冊子に挿入した写真や画像カードの内容を自作ストーリーにして文面シートとし、当該見開き頁のカード用ホルダーの一部に挿入すると、自家版の立体式物語本に成る。次に前記多用途見開き体の見開き頁、もしくは前記冊子の見開き頁を開いて形成させた立体状空間構成態を、保持装具を用いて保持し、陳列して、写真を挿入して用いると、立体式フォトフレームと成り、もしくは画像カード等を挿入して用いると、立体式インテリア装飾体と成る。上記により、本考案の見開き体は、利用用途を広げ、内容を変化させ、利用者が創意を活かせる効果を持つ。
【考案を実施するための最良の形態】
【０００６】
図１、及び図２に示すように、多用途見開き体１の見開き頁２に当該多目的見開き体１の外形からはみ出すことなく、且つ損傷し得ない状態で、カード用ホルダー３と、当該カードホルダー３の周辺に設けた周辺装飾用シート５と、ポップアップ機構６を畳み込んで収蔵し、前記カード用ホルダー３と、前記周辺装飾用シート５は、ポップアップ機構６を介して前記見開き体１の見開き頁２に接合させておく。
【０００７】
図２、及び図３に示すように前記カード用ホルダー３の額縁部分には額縁装飾用シート４を設け、当該カード用ホルダー３の額縁部分又は額縁装飾用シート４と、前記周辺装飾用シート５と、前記見開き頁２の表面との、全て又はいずれかに、前記カード用ホルダー３に挿入するカードの内容を予測した演出用装飾７、例えば、誕生写真、入学写真、結婚写真、商品写真、キャラクターカード、メッセージシート等を予測した演出用の形状、図柄、彩色、文字、凹凸加工等、を施して、主体である前記カードを演出する。なお自作の演出用装飾を施せる仕様として、前記カードホルダー３の額縁部分又は額縁装飾用シート４と、前記周辺装飾用シート５と、前記見開き頁２の表面が、無地白色のものを備える。
【０００８】
図１、及び図２に示すように、前記見開き体１を見開く動作から生じる力を利用して、当該見開き頁２に畳み込んだ前記ポップアップ機構６を作動させ、畳み込まれている前記カード用ホルダー３と、前記周辺装飾用シート５を、破損しない軌跡で、前方、左右、上下、等に移動回転させて、複数層からなる立体状空間構成態Ａ又はＢ又はＣを形成させる。この時、前記カード用ホルダー３と、前記周辺装飾用シート５とは、相互の鑑賞に支障が生じない配置で立体状空間構成態Ａ又はＢ又はＣを形成させる。
【０００９】
多用途見開き体１のカード用ホルダー３は、写真８、画像カード９、文面シート１０、データシート、カレンダーシート、自作カード等、のカード類を損傷なく挿出入できる構造を有し、利用するカードを選択して、当該カードの内容に相応しい演出用装飾７を備えた多用途見開き体１を選定して、当該カードを挿入する。当該見開き頁２を見開く動作で、当該カードに相応しい演出用装飾が施された立体状空間構成態Ａ又はＢ又はＣを形成させる。当該多用途見開き体にカードを適宜選択し挿入して用いることで、ダイナミックな感動を与える、立体式グリーティングカード１１、もしくは立体式写真ボード１２、もしくは立体式招待状、もしくは立体式ポストカード、もしくは立体式パンフレット、もし又は立体式販売促進用ＰＯＰ、等の多様な用途に供する。
【００１０】
図５に示すように、多用途見開き体１の左右頁又はいずれか片頁の裏面全域又は額縁部に、接着材料１５を塗布又は取り付けておき、同様に頁の裏面に接着材料１５を塗布又は取り付けた異なる複数の多用途見開体１の左右頁を交互に隣接させて順次張り合わせ、連結して第１冊子１３を成す。当該第１冊子１３は、複数の多用途見開き体１を自由に組み合わせ、増設することができ、必要に応じて、当該第１冊子を別設の本体表紙２１と張り合わせ、体裁を整えることができる。
【００１１】
もしくは図６に示すように、異なる複数の多用途見開き体１を順次隣接させ、当該多用途見開き体１の左右頁を交互に重ね合わせて二重頁とし、当該二重頁１６の前端１７と上端１８と下端１９の三方を、取り外し可能な圧入クリップ装具２０を用いて接合し、連結して第２冊子１４と成す。当該第２冊子１４は、前記多用途見開き体１を自由に組み替え、入れ替え、差込み、増設することができ、必要に応じて、当該第２冊子１４を別設の本体表紙２１と接合させ、体裁を整えることができる。
【００１２】
図７に示すように、前記第１冊子１３、又は第２冊子１４を構成する多用途見開き体１のカード用ホルダー３に写真８を挿入し、鑑賞時に立体状空間構成態を形成させて、ダイナミックな感動を呼び起こす立体式アルバム２４の用途に供し、もしくは当該第１冊子１３又は第２冊子１４の見開き頁のカード用ホルダー３に挿入した写真８や画像カード９の内容をストーリーとした文面シート１０を作成し、当該カード用ホルダー３の一部に挿入すると、自家版の立体式物語本の用途に成り、もしくは当該第１冊子１３又は当該第２冊子１４を送呈する際に、当該カード用ホルダー３に送り主の写真８と自作のメッセージ文面シート１０を挿入すると立体式グリーティング冊子の用途に供することができる。
【００１３】
図４、及び図８に示すように、前記多用途見開き体１、もしくは前記冊子１３又は１４の見開き頁２を保持する、クリップ式又はバインダー式の保持装具２２を用いて当該立体状空間構成態Ｂ又はＣ又はＤ又はＥを形成し、当該見開き頁２の当該カード用ホルダー３に写真８や画像カード９等を挿入し、陳列して、立体式インテリア装飾体２３の用途と成し、もしくは写真８を挿入することで、立体式フォトフレーム２５の用途と成す。
【００１４】
さらに前記多用途見開き体に、LED等による光効果装置、及びメロディや音声等の音響効果装置を付加して、多用途見開き体の効果を高める。
【図面の簡単な説明】
【００１５】
【図１】本考案に係わる多用途見開き体を閉じた状態の図である。
【図２】本考案にかかわる多用途見開き体を見開いた状態の図である。
【図３】本考案に係わる多用途見開き体を立体式写真ボードの用途とした図である。
【図４】本考案に係わる多用途見開き体を立体式インテリア装飾体の用途とした図
【図５】本考案に係わる多用途見開き体を張り合わせて冊子とする図である。
【図６】本考案に係わる多用途見開き体を圧入クリップ装具を用いて冊子とする図
【図７】本考案に係わる多用途見開き体を立体式アルバムの用途とした図
【図８】本考案に係わる多用途見開き体を立体式フォトフレームの用途とした図
【符号の説明】
【００１６】
１  多用途見開き体
２  見開き頁
３  カード用ホルダー
４  額縁装飾用シート
５  周辺装飾用シート
６  ポップアップ機構
７  演出用装飾
８  写真
９  画像カード
１０  文面シート
１１  立体式グリーティングカード
１２  立体式写真ボード
１３  第１冊子
１４  第２冊子
１５  接着材料
１６  二重頁
１７  前端
１８  上端
１９  下端
２０  圧入クリップ装具
２１  本体表紙
２２  保持装具
２３  立体式インテリア装飾体
２４  立体式アルバム
２５  立体式フォトフレーム
Ａ  垂直形態の立体状空間構成態１
Ｂ  垂直形態の立体状空間構成態２
Ｃ  水平形態の立体状空間構成態１
Ｄ  垂直形態の立体状空間構成態３
Ｅ  水平形態の立体状空間構成態２
【図１】
0003137868.tif 000003
【図２】
0003137868.tif 000004
【図３】
0003137868.tif 000005
【図４】
0003137868.tif 000006
【図５】
0003137868.tif 000007
【図６】
0003137868.tif 000008
【図７】
0003137868.tif 000009
【図８】
0003137868.tif 000010
【手続補正書】
【提出日】平成19年10月9日(2007.10.9)
【手続補正１】
【補正対象書類名】実用新案登録請求の範囲
【補正対象項目名】全文
【補正方法】変更
【補正の内容】
【実用新案登録請求の範囲】
【請求項１】
左右頁からなる見開き体の見開き頁に畳み込んで収蔵させた、カード用ホルダーと、当該カード用ホルダーの周辺に設けた周辺装飾用シートを、同様に当該見開きページに畳み込んで収蔵させたポップアップ機構を介して当該見開き頁に接合させ、当該見開き頁を開く動作で前記ポップアップ機構を作動させて、前記カード用ホルダーと、前記周辺装飾用シートを立体状空間構成態に形成する、多用途見開き体。
【請求項２】
カード用ホルダーの額縁部分に額縁装飾用シートを設け、当該カード用ホルダーの額縁部分の額縁装飾用シートと、周辺装飾用シートと、見開き頁の表面の、全て又はいずれかに、当該見開き頁のカード用ホルダーに挿入するカードの内容を予測した演出用装飾を施した、請求項１記載の多用途見開き体。
【請求項３】
見開き体の左右頁又はどちらか片頁の裏面全域又は裏面額縁部分に、接着材料を塗布又は取り付けておき、同様に頁の裏面に接着材料を塗布又は取り付けた複数の見開き体の左右頁を交互に隣接させて順次張り合わせ、連結して冊子とする構造を有する、請求項１又は２に記載の多用途見開き体。
【請求項４】
複数の異なる見開き体を順次隣接させ、当該左右頁を交互に重ね合わせた二重頁の前端と上端と下端の三方を、取り外し可能な圧入クリップ装具を用いて接合し、連結して冊子とする構成を有する、請求項１又は２に記載の多用途見開き体。
【請求項５】
見開き体の見開き頁、もしくは冊子の見開き頁を、クリップ式又はバインダー式の保持装具を用いて保持し、保持された立体状空間構成態を陳列して、立体式カード展示体とする、請求項１〜４のいずれか１項に記載の多用途見開き体。
【手続補正２】
【補正対象書類名】明細書
【補正対象項目名】０００４
【補正方法】変更
【補正の内容】
【０００４】
本考案は、左右頁からなる多用途見開き体の見開き頁に、カード用ホルダーを収蔵し、カードの種別と内容、例えば、写真、画像カード、文面シート等、を選択して挿入することで当該多用途見開き体の用途を広げ、前記カードを差し替えることで当該多用途見開き体の内容と用途を変えられる。前記カード用ホルダーと前記カード用ホルダーの周辺に設けた周辺装飾用シートは前記見開き頁に畳み込んで収蔵し、同様に前記見開き頁に畳み込んで収蔵したポップアップ機構を介して当該見開き頁と接合させ、当該見開き頁を見開く動作で前記ポップアップ機構を作動させて、当該カード用ホルダーと当該周辺装飾シートを立体状空間構成態に形成し、さらに当該カード用ホルダーの額縁部分に額縁装飾用シートを設け、当該カード用ホルダーの額縁部分の額縁装飾用シートと、当該周辺装飾用シートと、見開き頁表面の全て又はいずれかに、挿入するカードの内容を予測した演出用装飾、例えば、誕生写真を予測した演出用の形状、図柄、彩色、文字、凹凸加工等、を施すことで、当該多用途見開き体を見開き利用する時に、感動を与える。次に多用途見開き体の見開き頁裏面に接着材料を塗布又は取り付けて異なる見開き体を順次張り合わせるか、又は取り外し可能な圧入クリップ装具を用いて異なる見開き体の左右頁を交互に重ねて順次接合するかの、いずれかにより、複数の見開き体を連結した冊子を構成し、立体式冊子としての用途に供する。次に前記多用途見開き体の見開き頁、もしくは前記冊子の見開き頁を保持するクリップ式又はバインダー式の保持装具を用いて、立体状空間構成態の状態を保ち、陳列して、立体式カード展示体の用途に供する。上記により、前項の課題を解決するものである。
【手続補正３】
【補正対象書類名】明細書
【補正対象項目名】０００５
【補正方法】変更
【補正の内容】
【０００５】
本考案の多用途見開き体は、収蔵したカード用ホルダーに、利用するカードを選択して挿入することで、当該多用途見開き体の用途を広く設定でき、当該カードを入れ替えることで、当該多用途見開き体の内容や用途を変えることができる。さらに利用するカードを、相応しい演出用装飾を持つ多用途見開き体のカード用ホルダーに挿入し、相応しい演出用装飾を施した、額縁用装飾シートを備えたカード用ホルダーと周辺装飾用シートを、ポップアップ機構で立体状空間構成態に形成させることで、当該多用途見開き体を見開いた時に、感動を喚起する立体式多用途見開き体になる。当該多用途見開き体の用途は、カード用ホルダーに写真を挿入すると、立体式写真ボードに成り、もしくは写真や画像カード等に加えてメッセージの文面シートを挿入すると、立体式グリーティングカードに成る。次に複数の多用途見開き体を張り合わせることで、多用途見開き体の自由な組み合わせと増設ができる冊子の用途を供し、取り外し可能な圧入クリップ装具を用いて接合して構成した冊子では、多用途見開き体を自由に組み替え、差し替え、割り込ませることができる。前記冊子を用いて、当該冊子のカード用ホルダーに写真を挿入すると、立体式アルバムと成り、もしくは前記冊子に挿入した写真や画像カードの内容を自作ストーリーにして文面シーとし、当該見開き頁のカード用ホルダーの一部に挿入すると、自家版の立体式物語本に成る。次に前記多用途見開き体の見開き頁、もしくは前記冊子の見開き頁を開いて形成させた立体状空間構成態を、保持装具を用いて保持し、陳列して、写真を挿入して用いると、立体式フォトフレームと成り、もしくは画像カード等を挿入して用いると、立体式インテリア装飾体と成る。上記により、本考案の多用途見開き体は、利用用途を広げ、内容を変化させ、利用者が創意を活かせる効果を持つ。
【手続補正４】
【補正対象書類名】明細書
【補正対象項目名】０００７
【補正方法】変更
【補正の内容】
【０００７】
図２、及び図３に示すように、前記カード用ホルダー３の額縁部分には額縁装飾用シート４を設け、当該カード用ホルダー３の額縁部分の額縁装飾用シート４と、前記周辺装飾用シート５と、前記見開き頁２の表面との、全て又はいずれかに、前記カード用ホルダー３に挿入するカードの内容を予測した演出用装飾７、例えば、誕生写真、入学写真、結婚写真、商品写真、キャラクターカード、メッセージシート等を予測した演出用の形状、図柄、彩色、文字、凹凸加工等、を施して、主体である前記カードを演出する。なお自作の演出用装飾を施せる仕様として、前記カード用ホルダーの額縁部分の額縁装飾用シート４と、前記周辺装飾用シート５と、前記見開き頁２の表面が、無地白色のものを備える。
【手続補正５】
【補正対象書類名】明細書
【補正対象項目名】０００８
【補正方法】変更
【補正の内容】
【０００８】
図１、及び図２、及び図３、及び図４に示すように、見開き体１を見開く動作から生じる力を利用して、当該見開き頁２に畳み込んだポップアップ機構６を作動させ、同様に当該見開き頁に畳み込まれている額縁装飾用シート４を設けたカード用ホルダー３と、周辺装飾用シート５を、破損しない軌跡で、前方、左右、上下、等に移動回転させて、複数層からなる立体状空間構成態Ａ又はＢ又はＣを形成させる。この時、前記額縁装飾用シート４を設けたカード用ホルダー３と、前記周辺装飾用シート５とは、相互の鑑賞に支障が生じない配置で立体状空間構成態Ａ又はＢ又はＣを形成させる。
【手続補正６】
【補正対象書類名】明細書
【補正対象項目名】０００９
【補正方法】変更
【補正の内容】
【０００９】
図２、及び図３、及び図４に示すように、多用途見開き体１のカード用ホルダー３は、写真８、画像カード９、文面シート１０、データシート、カレンダーシート、自作カード等、のカード類を損傷なく挿出入できる構造を有し、利用するカードを選択して、当該カードの内容に相応しい演出用装飾７を備えた多用途見開き体１を選定して、当該カードを挿入する。当該多用途見開き体１を見開く動作で、当該カードに相応しい演出用装飾が施された立体状空間構成態Ａ又はＢ又はＣを形成させる。当該多用途見開き体にカードを適宜選択し挿入して用いることで、ダイナミックな感動を与える、立体式グリーティングカード１１、もしくは立体式写真ボード１２、もしくは立体式招待状、もしくは立体式ポストカード、もしくは立体式パンフレット、もしくは立体式販売促進用ＰＯＰ、等の多様な用途に供する。
【手続補正７】
【補正対象書類名】明細書
【補正対象項目名】００１３
【補正方法】変更
【補正の内容】
【００１３】
図４、及び図８に示すように、多用途見開き体１、もしくは冊子１３又は１４の見開き頁２を保持するクリップ式又はバインダー式の保持装具２２を用いて立体状空間構成態Ｃ又はＥを形成し、立体式空間構成態Ｃ又はＥのカード用ホルダー３に写真８や画像カード９等を挿入し、陳列して、立体式インテリア装飾体２３の用途と成し、もしくは写真８を挿入することで、立体式フォトフレーム２５の用途と成す。
【手続補正８】
【補正対象書類名】図面
【補正対象項目名】図２
【補正方法】変更
【補正の内容】
【図２】
0003137868.tif 000011
【手続補正９】
【補正対象書類名】図面
【補正対象項目名】図３
【補正方法】変更
【補正の内容】
【図３】
0003137868.tif 000012
【手続補正１０】
【補正対象書類名】図面
【補正対象項目名】図４
【補正方法】変更
【補正の内容】
【図４】
0003137868.tif 000013
【手続補正１１】
【補正対象書類名】図面
【補正対象項目名】図７
【補正方法】変更
【補正の内容】
【図７】
0003137868.tif 000014